(57)【要約】【課題】アンテナの接続形態や接続する装置の選択を容易にして、アンテナ補正値の誤設定を低減させることができる電波伝播測定装置を提供すること。【解決手段】画像を表示する表示部１２２と、操作入力を受け付ける入力部１２１と、表示部１２２に、アンテナ１６それぞれの接続形態を一覧表示させ、アンテナ１６に接続するディバイダを一覧表示させ、入力部１２１への操作入力により選択されたアンテナの接続形態と接続するディバイダに対応するアンテナ補正値を加算して総合のアンテナ補正値を算出する制御部１３と、を備える。【選択図】図１
2017060118.tif 000002
【特許請求の範囲】
【請求項１】
１つ以上のアンテナ（１６）を接続され、基地局（２）からの無線信号の伝播状態を測定する電波伝播測定装置（１）であって、
画像を表示する表示部（１２２）と、
操作入力を受け付ける入力部（１２１）と、
前記表示部に設定用画像を表示させて各種設定を行わせる制御部（１３）と、を備え、
前記制御部は、前記表示部に、前記アンテナそれぞれの接続形態と、前記アンテナに接続する装置と、をそれぞれ個別に一覧表示させ、前記入力部への操作入力により選択された前記アンテナの接続形態と前記接続する装置それぞれに対応するアンテナ補正値を加算して総合のアンテナ補正値を算出する電波伝播測定装置。
【請求項２】
前記制御部は、前記入力部への操作入力により前記アンテナ補正値に対する補正値を設定させる請求項１に記載の電波伝搬測定装置。
【請求項３】
前記制御部は、前記アンテナ補正値を、予め設定された周波数帯域ごとに個別に設定可能とする請求項２に記載の電波伝搬測定装置。
【請求項４】
前記制御部は、前記入力部への操作入力により前記周波数帯域ごとのアンテナ補正値を前記表示部に表示させる請求項３に記載の電波伝搬測定装置。
【請求項５】
画像を表示する表示部（１２２）と、操作入力を受け付ける入力部（１２１）と、を備え、１つ以上のアンテナ（１６）を接続され、基地局（２）からの無線信号の伝播状態を測定する電波伝播測定装置（１）のアンテナ補正値設定方法であって、
前記表示部に、前記アンテナそれぞれの接続形態と、前記アンテナに接続する装置と、をそれぞれ個別に一覧表示させるステップと、
前記入力部への操作入力により前記アンテナそれぞれの接続形態と、前記アンテナに接続する装置と、をそれぞれ選択させるステップと、
選択された前記アンテナの接続形態と前記接続する装置それぞれに対応するアンテナ補正値を加算して総合のアンテナ補正値を算出するステップと、を備えるアンテナ補正値設定方法。
【発明の詳細な説明】
【技術分野】
【０００１】
本発明は、移動体通信システムの基地局の電波の伝播状態を測定する電波伝播測定装置に関する。
【背景技術】
【０００２】
携帯電話などの移動体通信システムにおいては、サービス提供エリア内に多数の基地局を設置している。基地局は、出力する電波の届く範囲が隣接する基地局同士で一部重なるように設置され、サービス提供エリア内で基地局の電波の届かない場所を無くすようにしている。
【０００３】
このような移動体通信システムにおいて、サービス提供エリア内の任意の地点において、基地局からの電波の伝播状態を測定することは、基地局の保守やサービス提供エリアの管理にとって重要なことである。
【０００４】
特許文献１では、Ｗ−ＣＤＭＡ（Wideband-Code Division Multiple Access）方式の移動体通信システムにおいて、基地局からの電波の伝播状態を測定する装置が提案されている。
【０００５】
さらに、Ｗ−ＣＤＭＡだけでなくＬＴＥ（Long Term Evolution）方式の電波も測定可能に構成された電波伝播測定装置もある。
【０００６】
このような電波伝播測定装置においては、測定する電波の周波数帯域に応じてアンテナを変えたり、複数の周波数帯域の電波を測定する場合には、それぞれの周波数帯域に対応したアンテナを接続したりする。
【０００７】
また、車載して測定を行う場合などは、アンテナに台座を付け、台座からケーブルを介して電波伝播測定装置に接続する。
【０００８】
また、２本のアンテナの出力を合成して電波伝播測定装置に入力する場合や、１本のアンテナの出力を分割して電波伝播測定装置に入力する場合などには、ディバイダを使用する。
【０００９】
このように、電波伝播測定装置にアンテナや台座やディバイダやケーブルを接続した場合、アンテナの利得やアンテナから電波伝播測定装置の間に接続された台座やディバイダやケーブルなどの伝送ロスに応じて測定データに補正を行なわなければならない。
【００１０】
このため、電波伝播測定装置側で、接続可能なアンテナと、そのアンテナに接続可能な台座やディバイダの組み合わせに対応した補正値を用意しておき、アンテナの接続形態及び接続する装置に応じてユーザに選択させていた。
【先行技術文献】
【特許文献】
【００１１】
【特許文献１】特開２００２−２８０９７４号公報
【発明の概要】
【発明が解決しようとする課題】
【００１２】
しかしながら、このような電波伝播測定装置では、アンテナに接続可能な形態や接続可能な装置の全てについて補正値を用意しておかなければならず、新しいアンテナを追加する場合、そのアンテナに接続可能な形態の全ての補正値を用意して電波伝播測定装置に記憶させなければならない。
【００１３】
また、接続可能な形態が多数になると、ユーザが選択する場合に、どれを選択すればいいかが分かりにくく、アンテナの接続形態及び接続する装置の選択誤りにより、誤ったアンテナ補正値を設定してしまう。
【００１４】
そこで、本発明は、アンテナの接続形態や接続する装置の選択を容易にして、アンテナ補正値の誤設定を低減させることができる電波伝播測定装置を提供することを目的としている。
【課題を解決するための手段】
【００１５】
本発明の電波伝播測定装置は、１つ以上のアンテナを接続され、基地局からの無線信号の伝播状態を測定する電波伝播測定装置であって、画像を表示する表示部と、操作入力を受け付ける入力部と、前記表示部に設定用画像を表示させて各種設定を行わせる制御部と、を備え、前記制御部は、前記表示部に、前記アンテナそれぞれの接続形態と、前記アンテナに接続する装置と、をそれぞれ個別に一覧表示させ、前記入力部への操作入力により選択された前記アンテナの接続形態と前記接続する装置それぞれに対応するアンテナ補正値を加算して総合のアンテナ補正値を算出するものである。
【００１６】
この構成により、アンテナの接続形態とアンテナに接続する装置を個別に選択することでアンテナ補正値が算出される。このため、アンテナの接続形態や接続可能な装置の組み合わせ全ての一覧から選択する場合に比べ、アンテナの接続形態や接続する装置の選択を容易にすることができ、アンテナ補正値の誤設定を低減させることができる。
【００１７】
また、本発明の電波伝播測定装置において、前記制御部は、前記入力部への操作入力により前記アンテナ補正値に対する補正値を設定させるものである。
【００１８】
この構成により、入力部への操作入力によりアンテナ補正値の補正が行なわれる。このため、アンテナの接続形態の一覧や接続可能な装置の一覧に無いアンテナや装置を接続した場合でも、アンテナ補正値を設定できる。
【００１９】
また、本発明の電波伝播測定装置において、前記制御部は、前記アンテナ補正値を、予め設定された周波数帯域ごとに個別に設定可能とするものである。
【００２０】
この構成により、アンテナ補正値が予め設定された周波数帯域ごとに設定される。このため、同時に複数の周波数帯域の測定を行うときでも、周波数帯域ごとにアンテナ補正値を設定できる。
【００２１】
また、本発明の電波伝播測定装置において、前記制御部は、前記入力部への操作入力により前記周波数帯域ごとのアンテナ補正値を前記表示部に表示させるものである。
【００２２】
この構成により、入力部への操作入力により周波数帯域ごとのアンテナ補正値が表示される。このため、周波数帯域ごとのアンテナ補正値を容易に確認することができ、アンテナ補正値の誤設定を低減させることができる。
【００２３】
また、本発明のアンテナ補正値設定方法は、画像を表示する表示部と、操作入力を受け付ける入力部と、を備え、１つ以上のアンテナを接続され、基地局からの無線信号の伝播状態を測定する電波伝播測定装置のアンテナ補正値設定方法であって、前記表示部に、前記アンテナそれぞれの接続形態と、前記アンテナに接続する装置と、をそれぞれ個別に一覧表示させるステップと、前記入力部への操作入力により前記アンテナそれぞれの接続形態と、前記アンテナに接続する装置と、をそれぞれ選択させるステップと、選択された前記アンテナの接続形態と前記接続する装置それぞれに対応するアンテナ補正値を加算して総合のアンテナ補正値を算出するステップと、を備えるものである。
【００２４】
この構成により、アンテナの接続形態とアンテナに接続する装置を個別に選択することでアンテナ補正値が算出される。このため、アンテナの接続形態や接続可能な装置の組み合わせ全ての一覧から選択する場合に比べ、アンテナの接続形態や接続する装置の選択を容易にすることができ、アンテナ補正値の誤設定を低減させることができる。
【発明の効果】
【００２５】
本発明はアンテナの接続形態や接続する装置の選択を容易にして、アンテナ補正値の誤設定を低減させることができる電波伝播測定装置を提供することができる。
【図面の簡単な説明】
【００２６】
【図１】図１は、本発明の一実施形態に係る電波伝播測定装置のブロック図である。
【図２】図２は、本発明の一実施形態に係る電波伝播測定装置のアンテナの接続形態を設定させる画面の例を示す図である。
【図３】図３は、本発明の一実施形態に係る電波伝播測定装置のアンテナ補正値の確認画面の例を示す図である。
【発明を実施するための形態】
【００２７】
以下、図面を参照して、本発明の実施形態に係る電波伝播測定装置について詳細に説明する。
【００２８】
図１において、本発明の一実施形態に係る電波伝播測定装置１は、無線信号処理部１０と、無線信号測定部１１と、ユーザインターフェース部１２と、制御部１３とを含んで構成されている。
【００２９】
無線信号処理部１０は、アンテナ１６を介して基地局２から受信した無線信号を、増幅や周波数変換などして無線信号測定部１１に出力する。
【００３０】
無線信号測定部１１は、無線信号処理部１０と接続され、無線信号処理部１０の出力する無線信号の復調、復号を行なうとともに、所定の測定項目を測定し、測定結果を制御部１３に出力するようになっている。制御部１３は、無線信号測定部１１からの測定結果を時刻情報などと関連付けてハードディスク等に記憶しておき、ユーザの要求によりユーザインターフェース部１２に表示出力させたり、ログとしてファイルに出力したりするようになっている。
【００３１】
測定項目としては、Ｗ−ＣＤＭＡでは、ＲＳＳＩ（Received Signal Strength Indicator）、ＲＳＣＰ（Received Signal Code Power）、Ｅｃ／Ｎｏ（Received energy per chip divided by the power density in the band）、ＳＩＲ（Signal to Interference Ratio）などがある。ＬＴＥでは、ＲＳＳＩ、ＲＳＲＰ（Reference Signal Received Power）、ＲＳＲＱ（Reference Signal Received Quality）、ＳＩＲ、受信タイミングなどがある。
【００３２】
無線信号測定部１１は、ＧＰＳ（Global Positioning System）受信部１４や内部クロック１５からクロック信号を入力されるようになっている。無線信号測定部１１は、ＧＰＳ受信部１４からのＰＰＳ（Pulse Per Second:１秒周期の信号）または内部クロック１５からのクロック信号に基づいてＬＴＥ信号の受信タイミングを測定するようになっている。なお、外部からＧＰＳ信号を入力するようにしてもよい。
【００３３】
ユーザインターフェース部１２は、ユーザからの操作入力を受け付ける入力部１２１と、測定のパラメータの設定画面や無線信号測定部１１の測定結果などを表示する表示部１２２とを備えている。入力部１２１は、タッチパッドやキーボードやプッシュボタンなどによって構成される。表示部１２２は、液晶表示装置などによって構成される。
【００３４】
制御部１３は、図示しないＣＰＵ（Central Processing Unit）と、ＲＡＭ（Random Access Memory）と、ＲＯＭ（Read Only Memory）と、ハードディスク装置と、入出力ポートとを備えたコンピュータユニットによって構成されている。
【００３５】
このコンピュータユニットのＲＯＭ及びハードディスク装置には、各種制御定数や各種マップ等とともに、当該コンピュータユニットを制御部１３として機能させるためのプログラムが記憶されている。すなわち、ＣＰＵがＲＯＭ及びハードディスク装置に記憶されたプログラムを実行することにより、当該コンピュータユニットは、制御部１３として機能する。なお、ハードディスク装置は、フラッシュメモリによるＣＦ(Compact Flash)カードであっても良い。
【００３６】
制御部１３の入出力ポートには、無線信号測定部１１、ユーザインターフェース部１２が接続され、制御部１３と各部は信号の送受信をできるようになっている。
【００３７】
なお、本実施形態において、無線信号測定部１１は、各処理を実行するようにプログラミングされたＤＳＰ（Digital Signal Processor）等のプロセッサによってそれぞれ構成されている。また、無線信号処理部１０は、通信モジュールによって構成されている。
【００３８】
また、無線信号処理部１０及び無線信号測定部１１は、例えば、Ｗ−ＣＤＭＡ用と、ＬＴＥ用で別々に構成するようにしてもよい。
【００３９】
このような電波伝播測定装置１において、制御部１３は、例えば、表示部１２２に表示させた設定画面に対する入力部１２１への操作入力で設定された周波数の無線信号の測定を無線信号測定部１１に行わせる。
【００４０】
制御部１３は、表示部１２２に表示させた設定画面により、測定する無線信号の中心周波数や周波数帯域幅や測定する信号数などを入力部１２１から入力させる。測定する無線信号の中心周波数は、複数設定可能になっている。
【００４１】
制御部１３は、入力部１２１により入力された設定情報を無線信号測定部１１に通知して、無線信号の測定を行わせる。
【００４２】
無線信号測定部１１は、制御部１３から設定情報を通知されると、通知された中心周波数や周波数帯域幅を無線信号処理部１０に通知して、その中心周波数や周波数帯域幅の無線信号を受信させる。
【００４３】
無線信号処理部１０は、無線信号測定部１１から中心周波数や周波数帯域幅を通知されると、その中心周波数や周波数帯域幅の無線信号を受信し、増幅や周波数変換などして無線信号測定部１１に出力する。
【００４４】
無線信号測定部１１は、無線信号処理部１０の出力する無線信号の復調、復号を行なうとともに、ＲＳＲＰ、ＲＳＳＩ、ＲＳＲＱ、ＳＩＲ、受信タイミングなどを測定し、測定結果を制御部１３に出力する。
【００４５】
制御部１３は、無線信号測定部１１の出力する測定結果に基づいて、入力部１２１の操作入力により選択された測定結果表示種別に応じて表示部１２２に表示させる画像を作成して表示部１２２に表示させる。
【００４６】
本実施形態の電波伝播測定装置１では、アンテナ１６は、電波伝播測定装置１に直接接続することもできるし、台座に接続して台座からケーブルで接続することもできる。また、ディバイダを接続してアンテナ１６の信号の合成や分配もできるようになっている。
【００４７】
電波伝播測定装置１は、アンテナの利得やアンテナから電波伝播測定装置１の間に接続された台座やケーブルやディバイダなどの伝送ロスに応じて測定データに補正を行なうようになっている。
【００４８】
制御部１３は、ハードディスク装置に、アンテナ１６ごとの補正値、台座ごとの補正値、ディバイダの補正値を記憶している。補正値は、予め設定された周波数帯域ごとに設定されている。
【００４９】
制御部１３は、表示部１２２にアンテナ１６の接続形態や接続する装置を設定させる画面を表示させ、入力部１２１の操作によりアンテナ１６の接続形態や接続する装置を設定させる。ここで、アンテナ１６の接続形態とは、例えば、アンテナ１６を直接電波伝播測定装置１やディバイダに接続する形態や、アンテナ１６に台座を接続して台座からケーブルを介して電波伝播測定装置１やディバイダに接続する形態などがある。
【００５０】
制御部１３は、設定されたアンテナ１６や台座やディバイダの補正値を上述の周波数帯域ごとに加算して全体の補正値とする。
【００５１】
制御部１３は、ハードディスク装置に記憶されていないアンテナ１６などを接続する場合のために、上述の周波数ごとに補正値をユーザに設定させるようにしてもよい。この場合、制御部１３は、設定されたアンテナ１６などの補正値に、ユーザ設定の補正値を加えて全体の補正値とする。
【００５２】
制御部１３は、複数のアンテナ１６を設定された場合、予め設定された優先順位に従って、優先順位の高いアンテナ１６の補正値を設定し、優先順位の高いアンテナ１６の補正値に無い周波数帯の補正値のみ優先順位の低いアンテナ１６の補正値を設定する。
【００５３】
制御部１３は、複数のアンテナ１６を設定された場合、各アンテナ１６の補正値で重なっている周波数帯域があれば測定値を保証しない警告を表示部１２２に表示させるようにしてもよい。
【００５４】
制御部１３は、算出した全体の補正値を無線信号測定部１１に通知する。無線信号測定部１１は、通知された補正値に基づいて測定結果を補正して制御部１３に出力する。
【００５５】
図２は、アンテナ１６の接続形態を設定させる画面の例を示す図である。第１アンテナ選択部１０１は、優先順位の高いアンテナ１６を選択させ設定させるものである。制御部１３は、入力部１２１の操作により第１アンテナ選択部１０１が選択されると、ハードディスク装置に記憶されているアンテナ１６とアンテナ１６と台座の組み合わせを一覧表示させ、入力部１２１の操作により選択されたアンテナ１６もしくはアンテナ１６と台座の組み合わせを第１アンテナ表示部１０２に表示させる。
【００５６】
第２アンテナ選択部１０３は、優先順位の低いアンテナ１６を選択させ設定させるものである。制御部１３は、入力部１２１の操作により第２アンテナ選択部１０３が選択されると、ハードディスク装置に記憶されているアンテナ１６とアンテナ１６と台座の組み合わせを一覧表示させ、入力部１２１の操作により選択されたアンテナ１６もしくはアンテナ１６と台座の組み合わせを第２アンテナ表示部１０４に表示させる。
【００５７】
制御部１３は、第２アンテナ選択部１０３で選択されたアンテナ１６の補正値と、第１アンテナ選択部１０１で選択されたアンテナ１６の補正値と、で同じ周波数帯域で両方に補正値がある場合、測定値を保証しない警告を表示部１２２に表示させる。
【００５８】
ディバイダ選択部１０５は、アンテナ１６に接続するディバイダを選択させ設定させるものである。制御部１３は、入力部１２１の操作によりディバイダ選択部１０５が選択されると、ハードディスク装置に記憶されているディバイダを一覧表示させ、入力部１２１の操作により選択されたディバイダをディバイダ表示部１０６に表示させる。
【００５９】
ユーザ補正値入力部１０７は、予め設定された周波数帯域ごとに補正値を直接入力させるものである。制御部１３は、入力部１２１の操作に従って補正値を変更させて表示させる。
【００６０】
総合補正値確認部１０８は、上述のように選択されたアンテナ１６や台座やディバイダによる補正値にユーザ設定の補正値を加えた総合補正値を表示させるものである。制御部１３は、入力部１２１の操作により総合補正値確認部１０８が選択されると、第１アンテナ選択部１０１で選択されたアンテナ１６もしくはアンテナ１６と台座の組み合わせの補正値と、第２アンテナ選択部１０３で選択されたアンテナ１６もしくはアンテナ１６と台座の組み合わせの補正値と、ディバイダ選択部１０５で選択されたディバイダの補正値と、ユーザ補正値入力部１０７で設定された補正値と、を周波数帯域ごとに加算して図３に示すように総合補正値表示部１０９に表示させる。
【００６１】
図２において、制御部１３は、入力部１２１の操作により確定部１１０が選択されると、第１アンテナ選択部１０１で選択されたアンテナ１６もしくはアンテナ１６と台座の組み合わせの補正値と、第２アンテナ選択部１０３で選択されたアンテナ１６もしくはアンテナ１６と台座の組み合わせの補正値と、ディバイダ選択部１０５で選択されたディバイダの補正値と、ユーザ補正値入力部１０７で設定された補正値と、を周波数帯域ごとに加算して総合補正値を算出し、無線信号測定部１１に総合補正値を通知する。無線信号測定部１１は、通知された補正値に基づいて測定結果を補正して制御部１３に出力する。
【００６２】
このように、上述の実施形態では、表示部１２２に、アンテナ１６それぞれの接続形態を第１アンテナ選択部１０１及び第２アンテナ選択部１０３に一覧表示させ、アンテナ１６に接続するディバイダをディバイダ選択部１０５に一覧表示させ、入力部１２１への操作入力により選択されたアンテナの接続形態と接続するディバイダに対応するアンテナ補正値を加算して総合のアンテナ補正値を算出する制御部１３を備える。
【００６３】
これにより、アンテナ１６の接続形態とアンテナ１６に接続するディバイダを個別に選択することでアンテナ補正値が算出される。このため、アンテナ１６の接続形態や接続可能な装置の組み合わせ全ての一覧から選択する場合に比べ、アンテナ１６の接続形態や接続する装置の選択を容易にすることができ、アンテナ補正値の誤設定を低減させることができる。
【００６４】
また、制御部１３は、入力部１２１への操作入力によりユーザ補正値入力部１０７にアンテナ補正値に対する補正値を設定させる。
【００６５】
これにより、入力部１２１への操作入力によりアンテナ補正値の補正が行なわれる。このため、アンテナ１６の接続形態の一覧や接続可能な装置の一覧に無いアンテナ１６や装置を接続した場合でも、アンテナ補正値を設定できる。
【００６６】
また、制御部１３は、アンテナ補正値を、予め設定された周波数帯域ごとに個別に設定可能とする。
【００６７】
これにより、アンテナ補正値が予め設定された周波数帯域ごとに設定される。このため、同時に複数の周波数帯域の測定を行うときでも、周波数帯域ごとにアンテナ補正値を設定できる。
【００６８】
また、制御部１３は、入力部１２１への操作入力により周波数帯域ごとのアンテナ補正値を総合補正値確認部１０８により表示部１２２に表示させる。
【００６９】
これにより、入力部１２１への操作入力により周波数帯域ごとのアンテナ補正値が表示される。このため、周波数帯域ごとのアンテナ補正値を容易に確認することができ、アンテナ補正値の誤設定を低減させることができる。
【００７０】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００７１】
１  電波伝播測定装置
２  基地局
１０  無線信号処理部
１１  無線信号測定部
１２  ユーザインターフェース部
１３  制御部
１４  ＧＰＳ受信部
１５  内部クロック
１６  アンテナ
１０１  第１アンテナ選択部
１０２  第１アンテナ表示部
１０３  第２アンテナ選択部
１０４  第２アンテナ表示部
１０５  ディバイダ選択部
１０６  ディバイダ表示部
１０７  ユーザ補正値入力部
１０８  総合補正値確認部
１１０  確定部
１２１  入力部
１２２  表示部
【図１】
2017060118.tif 000003
【図２】
2017060118.tif 000004
【図３】
2017060118.tif 000005